(57)【要約】【課題】効率よく被服の着せ替えが行えるマネキン支持装置を提供する。【解決手段】被服を展示するマネキン人形体１を取着する揺動取付部材２と、揺動取付部材２を枢着部４にて上下揺動可能に枢支して床面に立設される支持部材３と、を具備し、枢着部４が、揺動取付部材２を複数の所定の揺動角度で係止状態とし、かつ、係止状態の手動解除が可能な角度保持機構１０を備えている。【選択図】図１
2011147641.tif 000002
【特許請求の範囲】
【請求項１】
被服を展示するマネキン人形体（１）を取着する揺動取付部材（２）と、該揺動取付部材（２）を枢着部（４）にて揺動自在に枢支して床面に立設される支持部材（３）と、を具備し、
上記枢着部（４）が、上記揺動取付部材（２）を複数の所定の揺動角度（θ）で係止状態とし、かつ、該係止状態の手動解除が可能な角度保持機構（１０）を備えていることを特徴とするマネキン支持装置。
【請求項２】
上記所定の揺動角度（θ）は、上記マネキン人形体（１）が鉛直姿勢となる第１揺動角度（θ１）と、上記マネキン人形体（１）が後方傾斜姿勢となる第２揺動角度（θ２）と、を有している請求項１記載のマネキン支持装置。
【請求項３】
上記角度保持機構（１０）は、上記揺動取付部材（２）に固着された枢結部（２０）に形成された２つの係止孔（２ａ）（２ｂ）と、２つの該係止孔（２ａ）（２ｂ）の内の１つに選択的に挿入されて係合する係止突条（１１）と、を具備し、
該係止突条（１１）が、上記支持部材（３）に弾発部材（１３）を介して弾設され常に上記係止孔（２ａ）（２ｂ）に係合する方向へ弾発付勢されている請求項１又は２記載のマネキン支持装置。
【請求項４】
上記枢結部（２０）は、２つの上記係止孔（２ａ）（２ｂ）を有する円盤部（２１）と、該円盤部（２１）に突設され停止面（２２ａ）を有する段付部（２２）と、を備え、
上記揺動取付部材（２）を上記第２揺動角度（θ２）で傾斜させた状態で、上記段付部（２２）の上記停止面（２２ａ）を上記支持部材（３）側に当接し、かつ、２つの内の１つの上記係止孔（２ｂ）が、上記係止突条（１１）を係着可能な位置に配設されている請求項１，２又は３記載のマネキン支持装置。
【発明の詳細な説明】
【技術分野】
【０００１】
本発明は、マネキン人形を支持するためのマネキン支持装置に関する。
【背景技術】
【０００２】
従来、マネキン人形に、スラックスやスカート等の被服を展示する際には、一旦、マネキン人形を支柱から取外して、被服を着用させた後、再び支柱に取り付ける作業を行っていた。しかし、このようにしてマネキン人形に被服を着せ替える作業は、非常に面倒な作業であった。
そこで、支柱からマネキン人形を取り外さずに、スラックス等の被服を着脱できるような支柱が提案されている（特許文献１参照）。
【先行技術文献】
【特許文献】
【０００３】
【特許文献１】特開２００３−２６５２８６号公報
【発明の概要】
【発明が解決しようとする課題】
【０００４】
しかし、従来の支柱に支持されたマネキン人形の下半身に、スラックス等の被服を着用させる際には、支柱とマネキン人形の狭い隙間に被服を通して着脱を行わなければならず、被服の着せ替えに手間がかかり不便であった。マネキン人形に多数種類の被服を着用させたい場合には、短時間での被服の着せ替えが不可能であり、着せ替え作業に多大な労力が費やされていた。
【０００５】
そこで、本発明は、効率よく被服の着せ替えが行えるマネキン支持装置を提供することを目的とする。
【課題を解決するための手段】
【０００６】
そこで、本発明に係るマネキン支持装置は、被服を展示するマネキン人形体を取着する揺動取付部材と、該揺動取付部材を枢着部にて揺動自在に枢支して床面に立設される支持部材と、を具備し、上記枢着部が、上記揺動取付部材を複数の所定の揺動角度で係止状態とし、かつ、該係止状態の手動解除が可能な角度保持機構を備えているものである。
【０００７】
また、上記所定の揺動角度は、上記マネキン人形体が鉛直姿勢となる第１揺動角度と、上記マネキン人形体が後方傾斜姿勢となる第２揺動角度と、を有しているものである。
また、上記角度保持機構は、上記揺動取付部材に固着された枢結部に形成された２つの係止孔と、２つの該係止孔の内の１つに選択的に挿入されて係合する係止突条と、を具備し、該係止突条が、上記支持部材に弾発部材を介して弾設され常に上記係止孔に係合する方向へ弾発付勢されているものである。
【０００８】
また、上記枢結部は、２つの上記係止孔を有する円盤部と、該円盤部に突設され停止面を有する段付部と、を備え、上記揺動取付部材を上記第２揺動角度で傾斜させた状態で、上記段付部の上記停止面を上記支持部材側に当接し、かつ、２つの内の１つの上記係止孔が、上記係止突条を係着可能な位置に配設されているものである。
【発明の効果】
【０００９】
本発明のマネキン支持装置によれば、マネキン人形体の下半身に容易に被服を着せ替えることができる。また、簡単な手動操作を行なうのみでマネキン人形体の姿勢を変更することができ、使用者が女性であっても迅速かつ容易に取り扱うことができる。
【図面の簡単な説明】
【００１０】
【図１】本発明の実施の一形態を示した斜視図である。
【図２】マネキン支持装置を示した断面図である。
【図３】マネキン支持装置を示した断面図である。
【図４】第１揺動角度θ１での係止状態を示した要部拡大断面図である。
【図５】第１揺動角度θ１での係止解除状態を示した要部拡大断面図である。
【図６】第２揺動角度θ２での係止解除状態を示した要部拡大断面図である。
【図７】第２揺動角度θ２での係止状態を示した要部拡大断面図である。
【図８】マネキン支持装置の使用説明図である。
【図９】マネキン支持装置の使用説明図である。
【図１０】本発明の他の実施形態を示した斜視図である。
【図１１】図１０の要部拡大断面図である。
【発明を実施するための形態】
【００１１】
以下、実施の形態を示す図面に基づき本発明を詳説する。
図１に示すように、本発明のマネキン支持装置は、被服を着用させて展示するマネキン人形体１の背面に装着固定される揺動取付部材２と、床面に立設される支持部材３と、を具備している。
支持部材３は、揺動取付部材２を枢着部４にて揺動自在に枢支している。
枢着部４には、揺動取付部材２を支持部材３に対して所定の揺動角度θで係止状態とし、かつ、手動で係止状態の解除が可能な角度保持機構１０を備えている。
【００１２】
図１〜図３に示すように、揺動取付部材２は、長尺の弯曲状金属製丸棒部材から成り、湾曲部２４で折り返されて逆Ｕ字状に形成され、細長の隙間７を有している。揺動取付部材２は、一端を支持部材３に枢支され、他端に突起部６，６を突設しており、マネキン人形体１の背面に形成された凹設溝部５内の挿入孔５ａ，５ａに突起部６，６を挿入して、マネキン人形体１に装着されている。
【００１３】
支持部材３は、床面に自立する鉛直状の支柱に上下方向引出自在に嵌入されている。支持部材３の上端付近には、揺動取付部材２を枢着するための軸受部３１が切欠形成されている。
枢着部４の角度保持機構１０は、マネキン人形体１が鉛直姿勢となる第１揺動角度θ１で揺動取付部材２を保持（図２）し、又は、マネキン人形体１が後方傾斜姿勢となる第２揺動角度θ２で揺動取付部材２を保持（図３）するように構成している。つまり、上述の所定の揺動角度θは、第１揺動角度θ１と第２揺動角度θ２の２つからなる。
【００１４】
図４〜図７は、枢着部４を拡大して示した要部の一部断面図である。
枢着部４に於て、揺動取付部材２に溶接された枢結部２０を、軸Ｓによって支持部材３の軸受部３１に枢着している。揺動取付部材２は、揺動軸心Ｌ０廻りに揺動自在として枢着されている。
支持部材３は、軸受部３１に内方開口する箱型のつまみ保持部３０を横設している。つまみ保持部３０には、揺動取付部材２の揺動を係止するためのつまみ部材１２と、つまみ部材１２を弾発付勢するためのコイルばねから成る弾発部材１３とを設けている。
【００１５】
さらに詳しく説明すると、揺動取付部材２の枢結部２０は、揺動軸心Ｌ０上に中心を有する円盤部２１を有し、その弯曲外周面２１ａには、２つの係止孔２ａ，２ｂが凹設されている。また、円盤部２１の弯曲外周面２１ａには、段付部２２が突設されている。段付部２２の係止孔２ａ，２ｂ寄りの側面には、停止面２２ａを有している。２つの係止孔２ａ，２ｂは、揺動取付部材２と枢結部２０との接合面に対し円盤部２１の弯曲外周面２１ａの１８０°反対側に一つの係止孔２ａを配設し、もう一つの係止孔２ｂは、一つの係止孔２ａと停止面２２ａの間の弯曲外周面２１ａに配設している。
つまみ部材１２は、断面視土の字形状に形成されている。先端を係止突条１１として突出し、基端に円盤状の摘持部１２ａを有している。中間部には、外鍔部１２ｂを有し、外鍔部１２ｂは、つまみ保持部３０内に嵌入可能に形成されている。
【００１６】
つまみ部材１２は、支持部材３のつまみ保持部３０に弾発部材１３を介して弾設されている。つまみ部材１２の摘持部１２ａをつまみ保持部３０の外部に配設し、つまみ保持部３０に形成した貫通孔を挿通して、外鍔部１２ｂ及び係止突条１１をつまみ保持部３０の内部に配設している。つまみ部材１２は、弾発部材１３によって、外鍔部１２ｂが枢結部２０に近接する方向へ弾発付勢されている。つまり、係止突条１１は、常に係止孔２ａ，２ｂに押し付けられて係合するように弾発付勢されている。
【００１７】
図４及び図５に示すように、揺動取付部材２を第１揺動角度θ１で傾斜させた状態に於て、揺動取付部材２の下端は、支持部材３の一部に当接し、揺動取付部材２の揺動が一方向（図中時計回り方向）に限定されている。係止孔２ａは、揺動取付部材２が第１揺動角度θ１の状態で、係止突条１１が係着可能に対面する位置に来るように弯曲外周面２１ａに配設されている。
また、図６及び図７に示すように、揺動取付部材２を第２揺動角度θ２で傾斜させた状態に於て、段付部２２の停止面２２ａが、支持部材３の一部に当接し、揺動取付部材２の揺動が一方向（図中反時計回り方向）に限定されている。もう一つの係止孔２ｂは、揺動取付部材２が第２揺動角度θ２の状態で、係止突条１１が係着可能に対面する位置に来るように弯曲外周面２１ａに配設されている。
こうして、係止突条１１を、２つの係止孔２ａ，２ｂの内の１つに選択的に挿入することで、揺動取付部材２を係止状態として、揺動を抑制するように構成している。
挿入文
【００１８】
図１０及び図１１は、本発明の他の実施形態を示した図である。
図１０及び図１１に示すように、つまみ保持部３０を、揺動軸心Ｌ０方向（軸Ｓに対して平行方向）に突設するもよい。つまみ保持部３０に、弾発部材１３を介してつまみ部材１２を内設し（図４参照）、つまみ部材１２は、揺動軸心Ｌ０方向に弾発付勢され、枢結部２０の側面２１ｂを押圧している。
枢結部２０は、円盤部２１の側面２１ｂに、２つの係止孔２ａ，２ｂを形成している。揺動取付部材２は、第１揺動角度θ１で傾斜した状態で、揺動取付部材２の下端が、支持部材３の一部に当接し、揺動を一方向（図中時計回り方向）に限定され、かつ係止孔２ａが係止突条１１と係着可能に対面する位置に配設されている。また、揺動取付部材２は、第２揺動角度θ２で傾斜した状態で、段付部２２の停止面２２ａが、支持部材３の一部に当接し、揺動を一方向（図中反時計回り方向）に限定され、かつ、もう一つの係止孔２ｂが係止突条１１と係着可能に対面する位置に配設されている。
こうして、係止突条１１を、２つの係止孔２ａ，２ｂの内の１つに選択的に挿入することで、揺動取付部材２を係止状態として、揺動を抑制するように構成している。なお、係止孔２ａ，２ｂを、３個以上とするも自由である。
【００１９】
上述した本発明のマネキン支持装置の使用方法（作用）について説明する。
図１及び図８に示すように、マネキン人形体１は、背面側に揺動取付部材２を装着され、床面に載置したベースＢを備える支柱により立設される支持部材３に支持されて鉛直姿勢に保たれる。
揺動取付部材２は、スラックスやスカート等の被服をマネキン人形体１の下半身に着用させる際に、隙間７に被覆を挿通して着用させる。揺動取付部材２は、突起部６，６を、マネキン人形体１の背面側から凹設溝部５の挿入孔５ａ，５ａに挿入して、マネキン人形体１を確実に支持し、がたつくことのないように展示する。
図９に示すように、マネキン人形体１が着用する被服の着せ替えを行なう際には、揺動取付部材２を揺動させて、マネキン人形体１を後方に傾斜させる。後傾したマネキン人形体１は、下肢部（足）が、支持部材３及び支柱から離反し、着せ替え作業を行なうためのスペースを広くとることができる。
【００２０】
ここで、角度保持機構１０の作用について説明する。
図２に示すように、揺動取付部材２が、支持部材３に対して第１揺動角度θ１に枢支された状態に於て、枢着部４では、図４に示すように、係止孔２ａに係止突条１１が係合し、揺動取付部材２の揺動を抑制している。係止突条１１は、弾発部材１３により係止孔２ａに係合する方向へ常に弾発付勢されているため、不意に離脱することなく確実に揺動取付部材２の係止状態を保持する。
次に、図５に示すように、人の指Ｙ，Ｙで摘持部１２ａを摘んでつまみ部材１２を矢印Ｆ方向に動かし、係止突条１１を係止孔２ａから引き抜く。こうして揺動取付部材２の係止状態を手動で解除し、揺動取付部材２が支持部材３に対して、揺動軸心Ｌ０廻りに揺動自在とする。この係止解除状態に於て、揺動取付部材２の揺動は一方向（図中時計回り方向）に限定され、マネキン人形体１は、鉛直姿勢から後方に向けて傾斜する。
【００２１】
図３に示すように、揺動取付部材２が、支持部材３に対して第２揺動角度θ２にまで傾いていくと、枢着部４では、図６に示すように、段付部２２の停止面２２ａが、支持部材３のつまみ保持部３０に当って、揺動取付部材２の揺動を停止させる。
その後、図７に示すように、摘持部１２ａを摘んでいた人の指Ｙ，Ｙを離すと、弾発部材１３の弾発付勢力によりつまみ部材１２が矢印Ｒ方向に押し込まれ、係止孔２ｂに係止突条１１が係着する。こうして、揺動取付部材２の揺動を抑制して、係止状態とする。係止突条１１は、弾発部材１３により係止孔２ｂに係合する方向へ常に弾発付勢されているため、不意に離脱することなく確実に揺動取付部材２の係止状態を保持する。
【００２２】
図９に示すように、マネキン人形体１は、揺動取付部材２に取着したまま後方傾斜し、安定した姿勢で係止状態となって、被服の着せ替えが容易である。この際、枢着部４では、揺動取付部材２の停止面２２ａが支持部材３側に当接しているため、枢結部２０及び軸Ｓに大きな負担を与えることなくマネキン人形体１の荷重を確実に支持する。
被服の着せ替えが完了した後は、図８に示すように、つまみ部材１２を引っ張りつつマネキン人形体１を鉛直姿勢に戻し、つまみ部材１２から手を離せば揺動取付部材２が係止状態となり、そのままで展示が可能となる。
【００２３】
以上のように、本発明は、被服を展示するマネキン人形体１を取着する揺動取付部材２と、揺動取付部材２を枢着部４にて揺動自在に枢支して床面に立設される支持部材３と、を具備し、枢着部４が、揺動取付部材２を複数の所定の揺動角度θで係止状態とし、かつ、係止状態の手動解除が可能な角度保持機構１０を備えているので、マネキン人形体１の下半身に容易に被服を着せ替えることができ、作業効率が向上する。また、簡単な手動操作を行なうのみでマネキン人形体１の姿勢を変更することができ、マネキン人形体１を持ち上げる必要もなく、使用者が腕力の弱い女性であっても迅速かつ容易に取り扱うことができる。さらに、その姿勢を、安定して保持することができ、安全に作業を行える。
【００２４】
また、所定の揺動角度θは、マネキン人形体１が鉛直姿勢となる第１揺動角度θ１と、マネキン人形体１が後方傾斜姿勢となる第２揺動角度θ２と、を有しているので、揺動取付部材２にマネキン人形体１を取着したまま鉛直姿勢と後方傾斜姿勢とを選択して係止保持することができ、使い勝手がよく、操作が容易かつ迅速に行える。
【００２５】
また、角度保持機構１０は、揺動取付部材２に固着された枢結部２０に形成された２つの係止孔２ａ，２ｂと、２つの係止孔２ａ，２ｂの内の１つに選択的に挿入されて係合する係止突条１１と、を具備し、係止突条１１が、支持部材３に弾発部材１３を介して弾設され常に係止孔２ａ，２ｂに係合する方向へ弾発付勢されているので、不意に揺動取付部材２の係止状態が解除されることなく確実にマネキン人形体１の姿勢を保持することができ、安全に作業が行える。
【００２６】
また、枢結部２０は、２つの係止孔２ａ，２ｂを有する円盤部２１と、円盤部２１に突設され停止面２２ａを有する段付部２２と、を備え、揺動取付部材２を第２揺動角度θ２で傾斜させた状態で、段付部２２の停止面２２ａを支持部材３側に当接し、かつ、２つの内の１つの係止孔２ｂが、係止突条１１を係着可能な位置に配設されているので、後傾したマネキン人形体１の荷重を確実に支持することができ、かつ、係止操作を半自動で行なうことができ作業が迅速に行える。
【符号の説明】
【００２７】
１  マネキン人形体
２  揺動取付部材
２ａ  係止孔
２ｂ  係止孔
３  支持部材
４  枢着部
１０  角度保持機構
１１  係止突条
１３  弾発部材
２０  枢結部
２１  円盤部
２２  段付部
２２ａ  停止面
θ  揺動角度
θ１  第１揺動角度
θ２  第２揺動角度
【図１】
2011147641.tif 000003
【図２】
2011147641.tif 000004
【図３】
2011147641.tif 000005
【図４】
2011147641.tif 000006
【図５】
2011147641.tif 000007
【図６】
2011147641.tif 000008
【図７】
2011147641.tif 000009
【図８】
2011147641.tif 000010
【図９】
2011147641.tif 000011
【図１０】
2011147641.tif 000012
【図１１】
2011147641.tif 000013